(57)【要約】【課題】実質的に平坦な下面を有するアウトソールを備えるものでありながら、足に対して所望の程度の持ち上げ支持を提供することが可能な靴底を提供する。【解決手段】靴底（１２）は、地面上に載置されるように構成された実質的に平坦な下面（１７）を備えるアウトソール部材（１３）と、このアウトソール部材（１３）上に重ね合わせられるインソール（１４）とを有する。アウトソール部材（１３）は、その前方のソール部（１５）に対して上方に突出する後方のヒール部（１６）を有し、インソール（１４）は、下方に開口するとともにアウトソール部材（１３）から上方に突出するヒール部（１６）を収納するのに適した穴（２４）を備えるとともに、アウトソール部材（１３）の上面（１９）に対して相補的である下面（２０）を有する。【選択図】図１
2014036837.tif 000002
【特許請求の範囲】
【請求項１】
地面上に載置されるように構成された実質的に平坦な下面（１７）を備えるアウトソール部材（１３）と、このアウトソール部材（１３）に重ねられるインソール（１４）とを有する靴底（１２）であって、前記アウトソール部材（１３）が、その前方のソール部（１５）に対して上方に突出する後方のヒール部（１６）を有し、前記インソール（１４）が、下方に開口するとともに、前記アウトソール部材（１３）から上方に突出する前記ヒール部（１６）を収納するのに適した穴（２４）を有する下面（２０）を備えるものにおいて、
前記インソール（１４）の前記下面（２０）が前記アウトソール部材（１３）の上面（１９）に対して相補的に構成されていることを特徴とする靴底（１２）。
【請求項２】
前記アウトソール部材（１３）の前記ソール部（１５）と前記ヒール部（１６）との間に段部（１８）が設けられ、この段部（１８）が前記アウトソール部材（１３）の前記上面（１９）における不連続性を構成し、前記インソール（１４）の前記下面（２０）において、このインソール（１４）の前方部（２２）と後方部（２３）との間に段部（２１）が設けられ、この段部（２１）が、前記インソール（１４）の前記下面（２０）における不連続性を構成するとともに、前記アウトソール部材（１３）の前記上面（１９）における前記不連続性にマッチする請求項１に記載の靴底。
【請求項３】
前記インソール（１４）の前記前方部（２２）と前記後方部（２３）との間で、前記段部（２１）の前方に、前記後方部（２３）の厚みよりも大きな厚みを有する中央部（２５）が設けられている請求項２に記載の靴底。
【請求項４】
前記中央部（２５）の前記厚みは前記前方部（２２）に向けて減少する請求項３に記載の靴底。
【請求項５】
前記インソール（１４）は、前記中央部（２５）、前記段部（２１）および前記後方部（２３）を含む後方部材（２６）と、この後方部材（２６）に接続エッジ部（２８）で固定された前方部材（２７）とで形成される請求項１に記載の靴底。
【請求項６】
前記後方部材（２６）はＡＢＳから形成され、前記前方部材（２７）は革から形成される請求項５に記載の靴底。
【請求項７】
前記ヒール部（１６）は、前記アウトソール部材（１３）の前記ソール部（１５）に対して、一体形成されるか、又は、安定的に一体化される請求項１に記載の靴底。
【請求項８】
地面上に載置されるように構成されるとともに、前方のソール部（１５）と、上方に突出する後方のヒール部（１６）とから形成される実質的に平坦な下面（１７）を備え、上面（１９）で前記ソール部（１５）と前記ヒール部（１６）との間に段部（１８）が形成されているアウトソール部材（１３）を提供する工程、
前記アウトソール部材（１３）の前記上面（１９）に対して相補的な下面（２０）を有し、かつ前方部（２２）および後方部（２３）から構成されており、前記後方部（２３）には、下方に開口するとともに、前記前方部（２２）と前記後方部（２３）との間の段部（２１）によって形成される穴（２４）が形成されているインソール（１４）を提供する工程、
前記アウトソール部材（１３）と前記インソール（１４）とを互いに引き寄せて、前記インソール（１４）の前記前方部（２２）を前記アウトソール部材（１３）の前記ソール部（１５）上に重ね合わせるとともに、前記インソール（１４）の前記段部（２１）を前記アウトソール部材（１３）の前記段部（１８）上に重ね合わせ、更に、前記ヒール部（１６）を前記穴（２４）内に収納した状態で、前記インソール（１４）の前記後方部（２３）を前記アウトソール部材（１３）の前記ヒール部（１６）上に重ね合わせる工程、
前記アウトソール部材（１３）と前記インソール（１４）とを互いに接合し引き寄せる工程
を含む靴底（１２）の製造方法。
【請求項９】
前記インソール（１４）は、接続エッジ部（２８）に沿って、革から形成される前方部材（２７）と、ＡＢＳから形成される後方部材（２６）とを接続することによって形成され、前記後方部材（２６）は、前記段部（２１）と、前記穴（２４）を備える前記後方部（２３）とを含む請求項８に記載の製造方法。
【発明の詳細な説明】
【技術分野】
【０００１】
本発明は、実質的に平坦な下面（したがって、下方に突出するヒールを持たない）を有するソールを備えるものでありながら、ヒール箇所において足を持ち上げた状態で支持することを可能にする靴底に関する。
【０００２】
従来より知られているように、従来のタイプの履物は、「トレッド面」と呼ばれる下側の接地面を備える下側前方の部分と、その履物に対して付与されるべき美的価値に応じて異なる高さを有する後方のヒール部と、履物において必要とされるかもしれない整形外科的特徴とを備えるアウトソールを備えている。前記アウトソールの一部で、「シャンク」と呼ばれ、通常、ヒール部の高さによって地面から多少持ち上げられるアウトソールの一部分が、ソールの前方部分とヒールとの間に設けられる。
【０００３】
実質的に平坦な下面を有するアウトソールを備える履物（いわゆる「フラット」タイプ）も一般的である。しかしながら、このタイプの履物においては、その底部の厚みは一般にほぼ一定であり、かつきわめて薄い。履物によって足にある高さを付与することが望まれるならば、ソールを高い厚みを備えたものとして形成しなければならないが、これは外側からはっきりと見えるものとなり、特に、男性用の靴においては、それは美感的に不愉快なものとなる可能性がある。いずれにせよ、足の姿勢は実質的に水平のままであり、このことは血液の循環のために不適切である可能性がある。
【０００４】
平坦なアウトソールを備える履物として取り外し可能なヒールを有するものも知られている。この取り外し可能なヒールは、ソールの厚みの外部に位置する特殊なシートに平らな状態で挿入された別部材として構成されている。たとえば、特許文献１は、ヒール領域において、アウトソールの下方部分に取り付けられた別体のくさび状部材を備える靴底を開示している。
【０００５】
特許文献２は、そのアウトソール部材が平坦な下面と上方に突出するヒール部とを備える靴底を開示している。アウトソール部材とインソールとの間の隙間を埋めるためにシャンク領域に別体の部材が設けられ、これによってソール構造の軽量化ももたらされている。しかしながら、このソールはその製造が極めて複雑であり、適当な補強部材を含めて複数の構成要素を必要とする。
【先行技術文献】
【特許文献】
【０００６】
【特許文献１】韓国公開特許第１０−２０１０−００６４７４９号公報
【特許文献２】米国特許第２２７５７２０号明細書
【発明の概要】
【発明が解決しようとする課題】
【０００７】
本発明の一般的課題は、実質的に平坦な下面を有するアウトソールを備えるものでありながら、足に対して所望の程度の持ち上げ支持を提供することが可能な靴底を提供することによって上述した諸問題を解決することにある。
また、平坦なアウトソールと、足底に対して足のかかとのための持ち上げ支持部とを備える靴底の製造方法であって、その靴底に対して、高い強度を与え、かつ極めて高い形成容易性を提供する靴底の製造方法を提供することも本発明の一つの課題である。
【課題を解決するための手段】
【０００８】
これらの課題を達成するために、本発明に依れば、地面上に載置されるように構成された実質的に平坦な下面を備えるアウトソール部材と、このアウトソール部材に重ねられるインソールとを有する靴底であって、前記アウトソール部材が、その前方のソール部に対して上方に突出する後方のヒール部を有し、前記インソールが、下方に開口するとともに、前記アウトソール部材から上方に突出する前記ヒール部を収納するのに適した穴を有する下面を備えるものにおいて、
前記インソールの前記下面が前記アウトソール部材の上面に対して相補的に構成されていることを特徴とする靴底が提供される。
【０００９】
また、本発明に依れば、地面上に載置されるように構成されるとともに、前方のソール部と、上方に突出する後方のヒール部とから形成される実質的に平坦な下面を備え、上面で前記ソール部と前記ヒール部との間に段部が形成されているアウトソール部材を提供する工程、
前記アウトソール部材の前記上面に対して相補的な下面を有し、かつ前方部および後方部から構成されており、前記後方部には、下方に開口するとともに、前記前方部と前記後方部との間の段部によって形成される穴が形成されているインソールを提供する工程、
前記アウトソール部材と前記インソールとを互いに引き寄せて、前記インソールの前記前方部を前記アウトソール部材の前記ソール部上に重ね合わせるとともに、前記インソールの前記段部を前記アウトソール部材の前記段部上に重ね合わせ、更に、前記ヒール部を前記穴内に収納した状態で、前記インソールの前記後方部を前記アウトソール部材の前記ヒール部上に重ね合わせる工程、
前記アウトソール部材と前記インソールとを互いに接合し引き寄せる工程
を含む靴底の製造方法も提供される。
【図面の簡単な説明】
【００１０】
【図１】本発明によって製造された靴底を備える履物の長手方向断面図
【図２】図１に図示の靴底のコンポーネントの側面図
【図３】図１に図示の靴底の別のコンポーネントの側面図
【発明を実施するための形態】
【００１１】
本発明の発明原理と、その従来技術に対する利点とを説明するために、以下、図面を参照しながら、これらの原理を適用した実施形態について説明する。
【００１２】
これら図面を参照すると、アッパー１１（それ自身本発明の課題を構成するものではないことから、破線によって概略図示されている）と底部１２とを備える履物１０が図１に示されている。
【００１３】
その構造に関する限りにおいて、前記底部１２は、アウトソール部材１３（図３に個別に図示されている）とインソール１４（図２に個別に図示されている）とから構成され、前記アウトソール部材１３とインソール１４とが互いに組み付けられて履物の底部が提供され、その後、前記アッパー１１が、それらに対して、従来の方法によって、典型的には、そのエッジを履物の周部に沿って前記二つのコンポーネント１３、１４間に挟み込むことによって、接続される。
【００１４】
例えば革から形成される前記アウトソール部材１３は、足底に対応する前方のソール部１５と、このソール部１５と一体形成されるか、又は、たとえば、接着剤やびょう等を使用してソール部１５に対して安定的に一体化される後方のヒール部１６とを有する。
【００１５】
地面上に載置されるように構成される前記アウトソール部材１３の下面１７は、前記ソール部１５から前記ヒール部１６にかけて平坦で実質的に均一なコース（ｃｏｕｒｓｅ）を有しており、更に、前記ヒール部１６は、本発明の原理により、前記ソール部１５に対して上方に突出して段部１８を形成し、これら二つの部分１５、１６間の接続部における上面１９の不連続性を構成する。
【００１６】
前記ヒール部１６は、履物に対する美的および／又はエルゴノミクス的要求に適合する高さおよび／又は傾斜を備えるものとすることができる。
【００１７】
前記インソール１４は、前記アウトソール部材１３の前記上面１９に対して相補的である下面２０を有するとともに、前記アウトソール部材１３の前記ソール部１５の上に重ねられるように構成された前方部２２と、前記アウトソール部材１３の前記ヒール部１６上に重ねられるように構成された後方部２３との間に形成される段部２１を有する。前記段部２１は、前記アウトソール部材１３の前記上面１９における前記不連続性にマッチする、前記インソール１４の前記下面２０の不連続性を構成する。
【００１８】
実質的に、前記インソール１４は、前記後方部２３において、下方に開口するとともに、前記アウトソール部材１３から突出している前記ヒール部１６を収納するのに適した穴２４を有する。
【００１９】
図２から明らかなように、履物の底で前記段部２１の前方の中央領域に位置するインソール１４の中央部２５は、前記後方部２３よりも大きな厚みを有し、この厚みは前記前方部２２に向けて徐々に減少している。従って、前記インソール１４は、前記アウトソール部材１３の前記ソール部１５と前記ヒール部１６との間の前記不連続性を埋め、足に対して好適に傾斜した支持面を形成する部材として機能する。
【００２０】
前記インソール１４は、前記段部２１と、前記中央部２５と、前記穴２４を備える前記後方部２３とを容易に形成可能な、たとえばＡＢＳモールドで形成された後方部材２６、および、革から形成されるとともに適当な接続エッジ部２８で前記後方部材２６に固定される前方部材２７から構成されることが好ましい。
【００２１】
前記インソール１４および前記アウトソール部材１３は、互いに引き寄せられて、前記各段部１８、２１を合致させ、公知の方法（たとえば、縫い合わせおよび／又は接着剤による接着）を使用して接続され、それらに前記アッパーが固定される。たとえば、前記アウトソール、インソールおよびアッパーのアセンブリは、履物製造産業において周知の「ブレーク（Ｂｌａｋｅ）」縫いによって組み付けることができる。
【００２２】
履物の周囲に沿った二つの部材１３、１４の間に置かれるアッパーのエッジの厚みによって生じるギャップを埋めるため、該二つの部材の間の領域の中心に、適切なインサート又はミッドソールが備えられてもよい。
【００２３】
このように、本発明の履物によって上述した課題の達成が可能であることは明らかである。原理的には、本発明による履物の底部１２は、従来の慣習に対して、ヒール部が下方にではなく上方に突出するようにアウトソール部材をひっくり返すとともに、インソールの下部を、アウトソール部材のソール部とヒール部との間の段部を埋めるように形成することによって得ることができる。
【００２４】
勿論、本発明の原理を適用する実施例に関する上の説明は、これらの原理の非限定的な例として提供されるものであり、したがって、本発明の範囲を限定するものと解釈されてはならない。
【００２５】
例えば、アウトソール部材は革の代わりにゴムから形成することも可能であり、そして、所望の場合、前記アウトソール部材１３の平坦な下面１７に、適当なすべり止め部材又はインサートを備えさせることも可能である。これは、アウトソール部材をゴム成形によって製造する場合には容易に達成可能である。
【００２６】
更に、前記アウトソール部材１３に、公知の付属部材、たとえば、図１および３に概略図示されている、補強チップ２９やヒール−タップインサート３０を備えさせてもよい。
【００２７】
前記アウトソール部材１３のソール部とヒール部との間の前記段部１８は、図面に示されているように垂直にではなく、斜めに延出するように構成することも可能であり、そのような場合、対応するインソール１４の段部２１を、相補的な傾斜を備えて形成すればよい。
【００２８】
勿論、本発明の靴底は、サイズやヒール部の高さを適宜選択し、男性用および女性用の履物のいずれに使用することも可能である。
【図１】
2014036837.tif 000003
【図２】
2014036837.tif 000004
【図３】
2014036837.tif 000005
【外国語明細書】
2014036837000001.pdf
2014036837000002.pdf
2014036837000003.pdf
2014036837000004.pdf